(57)【特許請求の範囲】
【請求項１】
筐体と、
一方の面及び他方の面には開口部が設けられ、上面には暖気排出口が設けられて、電子機器を収納して前記筐体内に配置されるラックと、
前記筐体内に外気を導入し、前記ラックの前記一方の面の開口部から前記他方の面の開口部に外気を通流させる送風機と、
前記ラックの前記一方の面側に配置された温度センサと、
前記暖気排出口の開口率及び前記他方の面の開口部の開口率を変化させるスライド板と、
前記スライド板を駆動する駆動装置と、
前記温度センサの出力に応じて前記駆動装置を制御する制御部とを有し、
前記スライド板が、複数の板状の部材を連結して曲げ性を付与したものであり、
前記筐体内の空間が、前記ラックの前記一方の面側の第１の空間と、前記ラックの前記他方の面側の第２の空間と、前記ラックの上方に配置されて前記暖気排出口と前記第１の空間との間を連絡する第３の空間とに分離されていることを特徴とするモジュール型データセンター。
【請求項２】
前記制御部は、前記暖気排出口の開口率を増加させるときは前記他方の面の開口部の開口率を減少させ、前記暖気排出口の開口率を減少するときは前記他方の面の開口部の開口率を増加させることを特徴とする請求項１に記載のモジュール型データセンター。
【請求項３】
前記他方の面の開口部の開口率を変化させるスライド板を案内するガイドレールを有し
、前記ガイドレールの下端側が前記電子機器側に湾曲していることを特徴とする請求項１又は２に記載のモジュール型データセンター。
【請求項４】
前記ガイドレールが、前記制御部により制御されて上下方向に移動可能であることを特徴とする請求項３に記載のモジュール型データセンター。
【請求項５】
前記第２の空間と前記第３の空間との間に仕切り板が設けられていることを特徴とする請求項１乃至４のいずれか１項に記載のモジュール型データセンター。
【発明の詳細な説明】
【技術分野】
【０００１】
本発明は、モジュール型データセンターに関する。
【背景技術】
【０００２】
近年、高度情報化社会の到来にともなって計算機で多量のデータが取り扱われるようになり、多数の計算機を一括して管理するデータセンターの必要性がますます重要になってきている。
【０００３】
一般的なデータセンターは、広大な土地に建設された建屋と、大規模な空調設備と、大規模な電気設備とを有する。このため、完成までに長期間を要し、需要の増減に即応することは困難である。
【０００４】
そこで、コンテナと呼ばれる所定の大きさの構造物内にサーバ等を収納したラックと空調設備及び電気設備とを配置したモジュール型データセンターが開発され、実用化されている。モジュール型データセンターでは、コンテナ内に外気を取り入れ、サーバから発生する熱を外気で冷却するものが多い。これにより、サーバの冷却に使用する電力の削減を図っている。
【先行技術文献】
【特許文献】
【０００５】
【特許文献１】特開平１１−２０４９７４号公報
【特許文献２】特開２００７−２９３９３６号公報
【発明の概要】
【発明が解決しようとする課題】
【０００６】
電子機器を収納したラックから排出される暖気を従来に比べてより一層効率的に利用できるモジュール型データセンターを提供することを目的とする。
【課題を解決するための手段】
【０００７】
開示の技術の一観点によれば、筐体と、一方の面及び他方の面には開口部が設けられ、上面には暖気排出口が設けられて、電子機器を収納して前記筐体内に配置されるラックと、筐体内に外気を導入し、前記ラックの前記一方の面の開口部から前記他方の面の開口部に外気を通流させる送風機と、前記ラックの前記一方の面側に配置された温度センサと、前記暖気排出口の開口率及び前記他方の面の開口部の開口率を変化させるスライド板と、前記スライド板を駆動する駆動装置と、前記温度センサの出力に応じて前記駆動装置を制御する制御部とを有し、前記スライド板が、複数の板状の部材を連結して曲げ性を付与したものであり、前記筐体内の空間が、前記ラックの前記一方の面側の第１の空間と、前記ラックの前記他方の面側の第２の空間と、前記ラックの上方に配置されて前記暖気排出口と前記第１の空間との間を連絡する第３の空間とに分離されているモジュール型データセンターが提供される。
【発明の効果】
【０００９】
上記一観点に係るモジュール型データセンターによれば、温度センサの出力に応じて暖気排出口及び他方の面の開口部の開口率を調整して、ラックから排出される暖気を第１の空間に戻す。これにより、ラックから排出される暖気を従来に比べてより一層効率的に利用できる。
【図面の簡単な説明】
【００１１】
【図１】図１は、モジュール型データセンターの一例を示す模式的斜視図である。
【図２】図２は、同じくその模式的側面図である。
【図３】図３は、第１の実施形態に係るモジュール型データセンターを示す模式的斜視図である。
【図４】図４は、同じくその模式的側面図である。
【図５】図５は、ラックを示す側面図である。
【図６】図６は、スライド板、駆動装置及びガイドレールを示す模式図である。
【図７】図７は、温度センサ、制御部及び駆動装置を示すブロック図である。
【図８】図８は、第１の実施形態に係るモジュール型データセンターにおける暖気循環量の制御方法を示すフローチャートである。
【図９】図９は、第２の実施形態に係るモジュール型データセンターを示す模式的斜視図である。
【図１０】図１０は、同じくその模式的側面図である。
【図１１】図１１は、背面開口部の幅方向の両側に配置されたガイドレールを示す図である。
【図１２】図１２は、第２の実施形態に係るモジュール型データセンターにおける暖気循環量の制御方法を示すフローチャートである。
【図１３】図１３は、背面開口部の開口面積を変化させるときの動作を示すフローチャートである。
【発明を実施するための形態】
【００１２】
以下、実施形態について説明する前に、実施形態の理解を容易にするための予備的事項について説明する。
【００１３】
前述したように、モジュール型データセンターでは、外気を利用してサーバを冷却するものが多い。この場合、外気の温度によっては、サーバの正常な動作を保障する温度範囲（以下、「稼働温度条件」という）から外れてしまうおそれがある。そこで、例えば外気温が高いときには冷却装置を使用してサーバに供給するエアーの温度を下げ、外気温が低いときにはサーバから排出された暖気の一部をサーバの給気面側に戻す等の方法がとられている。
【００１４】
図１はモジュール型データセンターの一例を示す模式的斜視図、図２は同じくその模式的側面図である。図１，図２に例示したモジュール型データセンターでは、直方体形状のコンテナ１０と、コンテナ１０内に配置されたファンユニット１２と、複数のラック１３とを有する。コンテナ１０の相互に対向する２つの面のうちの一方には吸気口１１ａが設けられており、他方には排気口１１ｂが設けられている。また、ファンユニット１２とラック１３との間の空間の上には仕切り板１５が配置されている。
【００１５】
各ラック１３内には、サーバ、ストレージ又は電源等の電子機器が収納されている。また、ファンユニット１２には複数のファンが設けられている。更に、吸気口１１ａ及び排気口１１ｂには、雨水の侵入を防ぐ雨水侵入防止板や虫等の侵入を防ぐ防虫網が設けられている。
【００１６】
コンテナ１０内の空間は、ファンユニット１２、ラック１３及び仕切り板１５により、外気導入部２１、コールドアイル２２、ホットアイル２３及び暖気循環路２４に分割されている。外気導入部２１は吸気口１１ａとファンユニット１２との間の空間であり、コールドアイル２２はファンユニット１２とラック１３との間の空間であり、ホットアイル２３はラック１３と排気口１１ｂとの間の空間である。
【００１７】
暖気循環路２４はラック１３及び仕切り板１５の上方の空間であり、ホットアイル２３と外気導入部２１との間を連絡している。暖気循環路２４には、暖気の循環量を調整するためのダンパー１６が設けられている。
【００１８】
なお、以下の説明では、ラック１３のコールドアイル２２側の面を前面と呼び、ラック１３のホットアイル２３側の面を背面と呼ぶ。
【００１９】
このようなモジュール型データセンターにおいて、ファンユニット１２のファンの回転により吸気口１１ａを介して外気導入部２１にエアー（外気）が導入される。そして、外気導入部２１内に導入されたエアーは、ファンユニット１２を介してコールドアイル２２に移動し、更にラック１３の前面側からラック１３内に入って各サーバを冷却する。サーバを冷却することにより温度が上昇したエアー（暖気）は、ラック１３の背面からホットアイル２３に排出され、排気口１１ｂから屋外に排出される。
【００２０】
外気温が高いときにはダンパー１６を閉状態とし、ホットアイル２３から外気導入部２１に暖気が移動しないようにする。一方、外気温が低く、ラック１３内に導入されるエアーの温度が稼働温度条件から外れるおそれがあるときにはダンパー１６を開状態とし、ホットアイル２３から暖気循環路２４を介して外気導入部２１に暖気の一部を戻している。
【００２１】
しかし、上述したモジュール型データセンターでは、ダンパー１６を開状態としてもラック１３から排出される暖気の大部分は排気口１１ｂから外に排出され、ホットアイル２３から外気導入部２１に流入する暖気の量が少ない。このため、ラック１３から排出される暖気の利用効率が低く、外気温が更に低い場合は、ラック１３内に導入されるエアーの温度が稼働温度条件よりも低くなってしまう。
【００２２】
以下の実施形態では、ラックから排出される暖気をより一層効率的に利用できるモジュール型データセンター及び電子機器用ラックについて説明する。
【００２３】
（第１の実施形態）
図３は第１の実施形態に係るモジュール型データセンターを示す模式的斜視図、図４は同じくその模式的側面図である。
【００２４】
本実施形態に係るモジュール型データセンターは、直方体形状のコンテナ３０と、コンテナ３０内に配置されたファンユニット３２と、複数のラック３３とを有する。コンテナ３０の相互に対向する２つの面のうちの一方には吸気口３１ａが設けられており、他方には排気口３１ｂが設けられている。また、ファンユニット３２とラック３３との間の空間上には仕切り板３５が配置されており、ラック３３と排気口３１ｂとの間の空間上には仕切り板３６が配置されている。なお、コンテナ３０は筐体の一例であり、ファンユニット３２は送風機の一例である。
【００２５】
各ラック３３内には、サーバ（計算機）、ストレージ又は電源等の電子機器が収納されている。また、ファンユニット３２には複数のファンが設けられている。更に、吸気口３１ａ及び排気口３１ｂには、雨水の侵入を防ぐ雨水侵入防止板や虫等の侵入を防ぐ防虫網が設けられている。
【００２６】
コンテナ３０内の空間は、ファンユニット３２、ラック３３及び仕切り板３５，３６により、外気導入部４１、コールドアイル４２、ホットアイル４３及び暖気循環路４４に分割されている。外気導入部４１は吸気口３１ａとファンユニット３２との間の空間であり、コールドアイル４２はファンユニット３２とラック３３との間の空間であり、ホットアイル４３はラック３３と排気口３１ｂとの間の空間である。コールドアイル４２には、コールドアイル４２内の温度を測定する温度センサ５３が配置されている。
【００２７】
暖気循環路４４はラック３３及びコールドアイル４２の上方に設けられており、仕切り板３５，３６によりコールドアイル４２及びホットアイル４３と仕切られている。暖気循環路４４は、ラック３３の上面に設けられた暖気排気口３３ａから排出された暖気を外気導入部４１に導くための空間であり、暖気循環路４４内には暖気の循環量を調整するためのダンパー３７が設けられている。但し、ダンパー３７は必須ではなく、必要に応じて設ければよい。
【００２８】
なお、図３，図４には図示していないが、外気導入部４１には外気温が高いときに水の気化熱を利用して外部導入部４１に導入するエアーの温度を下げる気化式冷却装置が配置されている。また、以下の説明では、ラック３３のコールドアイル４２側の面を前面と呼び、ラック３３のホットアイル４３側の面を背面と呼ぶ。
【００２９】
図５は、ラック３３を示す側面図である。この図５に示すように、ラック３３内には複数のサーバ（電子機器）３７が収納されている。ラック３３の前面にはラック３３内に導入されるエアーが通る前面開口部３３ｂが設けられており、背面にはラック３７から排出されるエアーが通る背面開口部３３ｃが設けられている。
【００３０】
また、サーバ３７とラック３３の背面との間には、サーバ３７に接続するケーブル等が配置される空間が設けられている。以下、この空間を、ケーブルスペース３８と呼ぶ。ケーブルスペース３８の上方には、ケーブルスペース３８と暖気循環路４４との間を連絡する暖気排気口３３ａが設けられている。
【００３１】
更に、ラック３３には、暖気排気口３３ａと背面開口部３３ｃとの間を移動するスライド板５６が設けられている。このスライド板５６は、例えば多数の狭幅の板材を連結部材を介して幅方向に連結し曲げ性を付与したものであり、図６に模式的に示すように、駆動装置５２により駆動され、ラック３３の両側面に配置された一対のガイドレール５７に沿って移動する。図７に示すように、制御部５１は、温度センサ５３の測定温度に基づいて駆動装置５２を制御する。
【００３２】
スライド板５６により暖気排気口３３ａを全閉状態にすると、ラック３３の背面開口部３３ｃの開口率は全開状態となる。また、スライド板５６を移動して暖気排気口３３ａを全開状態にすると、ラック３３の背面開口部３３ｃの開口率は暖気排気口３３ａの面積に相当する分だけ減少する。
【００３３】
図８は、本実施形態に係るモジュール型データセンターにおける暖気循環量の制御方法を示すフローチャートである。
【００３４】
まず、ステップＳ１１において、制御部５１は温度センサ５３からコールドアイル４２の測定温度を取得する。そして、ステップＳ１２において、制御部５１は、測定温度が予め設定された上限値（例えば２５℃）以上か否かを判定する。
【００３５】
なお、コールドアイル４２に温度センサ５３を複数配置した場合、制御部５１はそれらの温度センサ５３で検出した温度の最低値を抽出し、測定温度とする。それらの温度センサ５３で検出した温度の最高値又は平均値を測定温度としてもよい。
【００３６】
ステップＳ１２において、測定温度が上限値以上であると判定した場合（ＹＥＳの場合）は、ステップＳ１５に移行する。そして、ステップＳ１５において、制御部５１は駆動装置５２を制御し、スライド板５６を一定量だけ移動させて、暖気排気口３３ａの開口面積を縮小する。これにより、暖気循環路４４を通って外気導入部４１に戻る暖気の量が減少し、その結果コールドアイル４２内のエアーの温度が下がる。その後、ステップＳ１４に移行する。
【００３７】
一方、ステップＳ１２で測定温度が予め設定された上限値よりも低いと判定した場合（ＮＯの場合）は、ステップＳ１３に移行する。そして、ステップＳ１３において、制御部５１は検出温度が予め設定された下限値（例えば１０℃）以下か否かを判定する。
【００３８】
ステップＳ１３で測定温度が予め設定された下限値よりも高いと判定した場合（ＮＯの場合）は、ステップＳ１３からステップＳ１４に直接移行する。一方、ステップＳ１３で測定温度が予め設定された下限値以下であると判定した場合（ＹＥＳの場合）は、ステップＳ１６に移行し、制御部５１は駆動装置５２を制御してスライド板５６を一定量だけ移動させて、暖気排気口３３ａの開口面積を拡大する。これにより、暖気循環路４４を通って外気導入部４１に戻る暖気の量が増加し、コールドアイル４２内のエアーの温度が上昇する。その後、ステップＳ１４に移行する。
【００３９】
ステップＳ１４では、一定の時間が経過するのを待つ。そして、一定の時間が経過した後、ステップＳ１１に戻り、上述した処理を繰り返す。
【００４０】
なお、ステップＳ１５において、スライド板５６により暖気排気口３３ａを全閉状態にしても測定温度が上限値を超える場合は、前述した気化式冷却装置を稼働させるなどの別の処理を実行する。
【００４１】
本実施形態では、上述したように、コールドアイル４２に配置した温度センサ５３の測定温度に応じてラック３３の上面に設けられた暖気排気口３３ａの開口面積（開口率）を変化させ、暖気の循環量を調整する。これにより、外気温度が低くても、ラック３３内に導入するエアーの温度を稼働温度条件範囲に維持することができる。
【００４２】
なお、ラック３３の背面開口部３３ｃの開口面積を変化させることなく、暖気排気口３３ａの開口面積だけを変化させることも考えられる。しかし、その場合は、サーバ３７から排出される暖気の大部分はそのまま直進して背面開口部３３ｃからホットアイル４３及び排気口３１ｂを介して屋外に排出される。そのため、暖気排気口３３ａの開口面積を変化させても、ケーブルスペース３８から暖気循環路４４に移動する暖気の変化量が少なく、外気の温度が低いときにラック３３内に導入するエアーの温度が稼働温度条件から外れてしまうおそれがある。
【００４３】
これを回避するために暖気排気口３３にファンを設けてケーブルスペース３８の暖気を強制的に暖気循環路４４に導入することも考えられるが、その場合はファンの分だけ消費電力が増加してしまう。
【００４４】
これに対し、本実施形態では、暖気排気口３３ａの開口面積を大きくするときには背面開口部３３ｃの開口面積を小さくしているので、暖気排気口３３ａにファン等を設けなくても、暖気排気口３３ａの開口面積に応じた量の暖気が外気導入部４１に戻る。その結果、ラック３３から排出される暖気を効率的に利用することができ、外気温が低い場合であっても、消費電力の増加を抑えつつ、ラック３３に導入されるエアーの温度を稼働温度条件内にすることができる。
【００４５】
（第２の実施形態）
図９は第２の実施形態に係るモジュール型データセンターを示す模式的斜視図、図１０は同じくその模式的側面図である。なお、図９，図１０において、図３，図４と同一物には同一符号を付している。
【００４６】
本実施形態においては、図１０に示すように、ラック３３及び仕切り板３６の上方に、スライド板６１を駆動する駆動装置６２と、スライド板６３を駆動する駆動装置６４とを有する。スライド板６１，６３は、いずれも多数の狭幅の板材を連結部材を介して幅方向に連結し曲げ性を付与したものである。
【００４７】
スライド板６１は駆動装置６２により駆動され、暖気排気口３３ａの幅方向の両側に配置されたガイドレールに沿って移動して暖気排気口３３ａの開口面積を変化させる。また、スライド板６３は、ラック３３の背面開口部３３ｃの幅方向の両側に配置されたガイドレールに沿って上下方向に移動して、背面開口部３３ｃの開口面積を変化させる。
【００４８】
図１１は、背面開口部３３ｃの幅方向の両側に配置されたガイドレールを示す図である。この図１１に示すように、背面開口部３３ｃの幅方向の両側に配置されたガイドレール６５は、下端部がＬ字状に湾曲しており、下端部の先端はサーバ３７の近傍に配置される。ガイドレール６５には、ガイドレール６５の形状に倣う案内溝６５ａが設けられており、スライド板６３は案内溝６５ａに沿って移動する。
【００４９】
ガイドレール６５は、駆動装置６４により駆動されて上下方向に移動する。但し、スライド板６３とガイドレール６５とは個別に駆動される。
【００５０】
図１２は、本実施形態に係るモジュール型データセンターにおける暖気循環量の制御方法を示すフローチャートである。
【００５１】
まず、ステップＳ２１において、制御部５１は温度センサ５３からコールドアイル４２の測定温度を取得する。そして、ステップＳ２２において、制御部５１は、測定温度が予め設定された上限値（例えば２５℃）以上か否かを判定する。
【００５２】
ステップＳ２２において、測定温度が上限値以上であると判定した場合（ＹＥＳの場合）は、ステップＳ２５に移行し、測定温度が上限値よりも低いと判定した場合（ＮＯの場合）はステップＳ２３に移行する。
【００５３】
ステップＳ２５において、制御部５１は背面開口部３３ｃの開口面積を一定量だけ拡大する。この場合、制御部５１は駆動装置６４を制御して、以下に説明するようにスライド板６３及びガイドレール６５を移動させる。
【００５４】
図１３は、背面開口部３３ｃの開口面積を変化させるときの動作を示すフローチャートである。
【００５５】
まず、ステップＳ３１において、制御部５１は駆動装置６４を制御してスライド板６３を上昇させる。これにより、ガイドレール６５の下端部からスライド板６３が排除され、ガイドレール６５を上下動してもスライド板６３がケーブルに引っ掛かるおそれがなくなる。
【００５６】
その後、制御部５１は、駆動装置６４を制御して、ガイドレール６５を上下動させ、所定の位置に配置する。次いで、制御部５１は、駆動装置６４を制御して、スライド板６３をガイドレール６５の先端まで下降させる。
【００５７】
このようにしてガイドレール６５及びスライド板６３を移動し、背面開口部３３ｃの開口面積を拡大した後、ステップＳ２６に移行する。ステップＳ２６において、制御部５１は背面開口部３３ｃが全開か否か、すなわち、スライド板６３が上限まで移動したか否かを判定する。ステップＳ２６で全開でないと判定した場合（ＮＯの場合）はステップＳ２６からステップＳ２４に直接移行し、背面開口部３３ｃが全開であると判定した場合（ＹＥＳの場合）はステップＳ２７に移行する。
【００５８】
ステップＳ２７において、制御部５１は駆動装置６２を制御し、スライド板６１を一定距離だけ移動させて、暖気排気口３３ａの開口面積を縮小する。その後、ステップＳ２４に移行する。なお、ステップＳ２７において、スライド板６１により暖気排気口３３ａを全閉状態にしても測定温度が上限値を超える場合は、気化式冷却装置を稼働させるなどの別の処理を実行する。
【００５９】
一方、ステップＳ２２からステップＳ２３に移行した場合、制御部５１は測定温度が予め設定された下限温度（例えば１０℃）以下か否かを判定する。測定温度が下限温度よりも高いと判定した場合（ＮＯの場合）はステップＳ２４に直接移行し、測定温度が下限温度以下であると判定した場合（ＹＥＳの場合）は、ステップＳ２８に移行する。
【００６０】
ステップＳ２８において、制御部５１は駆動装置６４を制御してスライド板６３を下降させ、背面開口部３３ｃの開口面積を一定量縮小する。この場合も、図１３のフローチャートに示すように、スライド板６３の上昇、ガイドレール６５の移動、及びスライド板６３の下降の各ステップを順番に実施する。
【００６１】
その後、ステップＳ２９に移行し、制御部５１は駆動装置６２を制御してスライド板６１を移動させ、暖気排気口３３ａの開口面積を一定量拡大する。そして、ステップＳ２９からステップＳ２４に移行する。
【００６２】
ステップＳ２４では、一定の時間が経過するのを持つ。そして、一定の時間が経過した後、ステップＳ２１に戻り、上述した処理を繰り返す。
【００６３】
本実施形態では、暖気排気口３３ａとは別個に背面開口部３３ｃの開口面積を変化させる。この場合、スライド板６３はガイドレール６５の案内溝６５ａに沿って移動し、サーバ３７の近傍に配置されるので、ガイドレール６５の下端部よりも上方のサーバ３７から排出された暖気は暖気排気口３３ａから暖気循環路４４に進入する。これにより、ラック３３から排出される暖気を、第１の実施形態に比べてより確実に外気導入部４１に戻すことができ、ラック３３から排出される暖気の利用効率がより一層向上する。
【００６４】
また、例えばラック３３の上部に配置サーバ３７に優先的に負荷をかけることにより、暖気循環路４４を介して外気導入部４１に戻るエアーの温度を上昇させることができる。これにより、ラック３３から排出される暖気の利用効率が更に向上する。
【００６５】
以下、実際のモジュール型データセンターを使用した実験について説明する。
【００６６】
（実験１）
図１，図２に示すように、幅が２．２ｍ、奥行きが３．３ｍ、高さが２．５ｍのコンテナ１０内に、幅が０．７ｍ、奥行きが１ｍ、高さが２ｍのラック１３を３台配置した。そして、ファンユニット１２を介してコンテナ１０内に、温度が５℃の外気を１時間当たり４０００ｍ3の割合で導入した。
【００６７】
この実験１のモジュール型データセンターでは、ラック１３の全負荷が１２ｋＷのとき、ラック１３の前面におけるエアーの平均温度は約９．８℃であり、稼働温度条件の下限値（１０℃）よりも低くなった。
【００６８】
（実験２）
図９，図１０に示すように、幅が２．２ｍ、奥行きが３．３ｍ、高さが２．５ｍのコンテナ３０内に、幅が０．７ｍ、奥行きが１ｍ、高さが２ｍのラック３３を３台配置した。ラック３３の上面には、幅が０．６５ｍ、奥行きが０．３ｍの開口部を設け、これを暖気排気口３３ａとした。
【００６９】
また、コンテナ３０内に仕切り板３５，３６を設け、ホットアイル４３と暖気循環路４４との間を分離した。そして、ラック３３の背面開口部３３ｃの約１／３を遮蔽板（スライド板６３に対応）で遮蔽し、暖気排気口３３ａを全開とした。その後、実験１と同様に、ファンユニット３２を介してコンテナ３０内に、温度が５℃の外気を１時間当たり４０００ｍ3の割合で導入した。
【００７０】
その結果、実験２のモジュール型データセンターでは、ラック３３の全負荷が１２ｋＷのとき、ラック３３の前面におけるエアーの平均温度は約１０．８℃であり、稼働温度条件の下限値（１０℃）よりも高くなった。
【００７１】
（実験３）
実験２と同様に、コンテナ３０内に３台のラック３３を配置した。また、コンテナ３０内に仕切り板３５，３６を設け、ホットアイル４３と暖気循環路４４との間を分離した。
【００７２】
そして、ラック３３の背面開口部３３ｃの約１／２を遮蔽板（スライド板６３に対応）で遮蔽し、暖気排気口３３ａを全開とした。その後、実験１と同様に、ファンユニット３２を介してコンテナ３０内に、温度が５℃の外気を１時間当たり４０００ｍ3の割合で導入した。
【００７３】
その結果、実験３のモジュール型データセンターでは、ラック３３の全負荷が１２ｋＷのとき、ラック３３の前面におけるエアーの平均温度は約１０．７℃であり、稼働温度条件の下限値（１０℃）よりも高くなった。
【００７４】
（実験４）
実験２と同様に、コンテナ３０内に３台のラック３３を配置した。また、コンテナ３０内に仕切り板３５，３６を設け、ホットアイル４３と暖気循環路４４との間を分離した。
【００７５】
そして、ラック３３の背面開口部３３ｃの約２／３を遮蔽板（スライド板６３に対応）で遮蔽し、暖気排気口３３ａを全開とした。その後、実験１と同様に、ファンユニット３２を介してコンテナ３０内に、温度が５℃の外気を１時間当たり４０００ｍ3の割合で導入した。
【００７６】
その結果、実験４のモジュール型データセンターでは、ラック３３の全負荷が１２ｋＷのとき、ラック３３の前面におけるエアーの平均温度は約１２．７℃であり、稼働温度条件の下限値（１０℃）よりも高くなった。
【００７７】
（実験５）
実験２と同様に、コンテナ３０内に３台のラック３３を配置した。また、コンテナ３０内に仕切り板３５，３６を設け、ホットアイル４３と暖気循環路４４との間を分離した。
【００７８】
そして、ラック３３の背面開口部３３ｃの約２／３を遮蔽板（スライド板６３に対応）で遮蔽し、暖気排気口３３ａを全開とした。その後、実験１と同様に、ファンユニット３２を介してコンテナ３０内に、温度が５℃の外気を１時間当たり４０００ｍ3の割合で導入した。
【００７９】
但し、各ラック３３の上半分のサーバには８ｋＷの負荷を与え、下半分のサーバには４ｋＷの負荷を与えた。その結果、ラック３３の前面におけるエアーの平均温度は約１３．８℃であり、稼働温度条件の下限値（１０℃）よりも高くなった。
【００８０】
これらの実験から、ラック３３の上面に暖気排気口３３ａを設け、背面開口部３３ｃの開口率を変化させることにより、ラック３３に供給されるエアーの温度を稼働温度条件内にできることが確認できた。
【００８１】
以上の諸実施形態に関し、更に以下の付記を開示する。
【００８２】
（付記１）筐体と、
一方の面及び他方の面には開口部が設けられ、上面には暖気排出口が設けられて、電子機器を収納して前記筐体内に配置されるラックと、
前記筐体内に外気を導入し、前記ラックの前記一方の面の開口部から前記他方の面の開口部に外気を通流させる送風機と、
前記ラックの前記一方の面側に配置された温度センサと、
前記暖気排出口の開口率及び前記他方の面の開口部の開口率を変化させるスライド板と、
前記スライド板を駆動する駆動装置と、
前記温度センサの出力に応じて前記駆動装置を制御する制御部とを有し、
前記筐体内の空間が、前記ラックの前記一方の面側の第１の空間と、前記ラックの前記他方の面側の第２の空間と、前記ラックの上方に配置されて前記暖気排出口と前記第１の空間との間を連絡する第３の空間とに分離されていることを特徴とするモジュール型データセンター。
【００８３】
（付記２）前記第２の空間と前記第３の空間とを分離する仕切り部材を有することを特徴とする付記１に記載のモジュール型データセンター。
【００８４】
（付記３）前記制御部は、前記暖気排出口の開口率を増加させるときは前記他方の面の開口部の開口率を減少させ、前記暖気排出口の開口率を減少するときは前記他方の面の開口部の開口率を増加させることを特徴とする付記１又は２に記載のモジュール型データセンター。
【００８５】
（付記４）前記暖気排出口の開口率を変化させるスライド板と前記他方の面の開口部の開口率を変化させるスライド板とが一体的に形成されていることを特徴とする付記１乃至３のいずれか１項に記載のモジュール型データセンター。
【００８６】
（付記５）前記暖気排出口の開口率を変化させるスライド板と前記他方の面の開口部の開口率を変化させるスライド板とが個別に形成されていることを特徴とする付記１乃至３のいずれか１項に記載のモジュール型データセンター。
【００８７】
（付記６）前記他方の面の開口部の開口率を変化させるスライド板を案内するガイドレールを有し、前記ガイドレールの下端側が前記電子機器側に湾曲していることを特徴とする付記１，２，５のいずれか１項に記載のモジュール型データセンター。
【００８８】
（付記７）前記ガイドレールが、前記制御部により制御されて上下方向に移動可能であることを特徴とする付記６に記載のモジュール型データセンター。
【００８９】
（付記８）前記スライド板が、複数の板状の部材を幅方向に連結して曲げ性を付与したものであることを特徴とする付記１乃至７のいずれか１項に記載のモジュール型データセンター。
【００９０】
（付記９）第１の面に設けられた第１の開口部と、
前記第１の面に対向する第２の面に設けられた第２の開口部と、
電子機器が配置される空間と、
前記第２の面側に設けられて前記電子機器に接続されるケーブルが配置される空間と、
上面に設けられて前記ケーブルが配置される空間と外部空間との間を連絡する暖気排出口と
を有することを特徴とする電子機器用ラック。
【符号の説明】
【００９１】
１０，３０…コンテナ、１１ａ，３１ａ…吸気口、１１ｂ，３１ｂ…排気口、１２，３２…ファンユニット、１３，３３…ラック、１５，３５，３６…仕切り板、１６，３７…ダンパー、２１，４１…外気導入部、２２，４２…コールドアイル、２３，４３…ホットアイル、２４，４４…暖気循環路、３３ａ…暖気排気口、３３ｂ…前面開口部、３３ｃ…背面開口部、３７…サーバ、３８…ケーブルスペース、５１…制御部、５２，６２，６４…駆動装置、５３…温度センサ、５６，６１，６３…スライド板、５７，６５…ガイドレール。
【図１】
0005987188.tif 000002
【図２】
0005987188.tif 000003
【図３】
0005987188.tif 000004
【図４】
0005987188.tif 000005
【図５】
0005987188.tif 000006
【図６】
0005987188.tif 000007
【図７】
0005987188.tif 000008
【図８】
0005987188.tif 000009
【図９】
0005987188.tif 000010
【図１０】
0005987188.tif 000011
【図１１】
0005987188.tif 000012
【図１２】
0005987188.tif 000013
【図１３】
0005987188.tif 000014